【手続補正書】
【提出日】令和2年4月24日(2020.4.24)
【手続補正１】
【補正対象書類名】特許請求の範囲
【補正対象項目名】全文
【補正方法】変更
【補正の内容】
【特許請求の範囲】
【請求項１】
乗物の乗員が着座し、該乗員を後方から支持する支持部を備えた乗物用シートと、
前記支持部のうち、前記乗物に対して後方荷重が入力された際に前記乗員の頸部に掛かる負担に影響を及ぼす部分の状態を調整するために設けられた状態調整機構と、
２以上の異なる手段により、前記乗員の情報を取得する取得部と、
該取得部が取得した前記乗員の情報の内容に応じて前記状態調整機構を制御することで、前記状態調整機構により調整された後の前記部分の状態を前記内容に応じて変える制御装置と、
前記部分として、前記乗員の背を支えるシートバックに設けられ、前記乗物に対して荷重が入力された際に変形することで衝撃エネルギーを吸収する衝撃エネルギー吸収部と、を有し、
前記状態調整機構は前記衝撃エネルギー吸収部が変形した際の限界変形量を調整するために設けられ、
前記制御装置は、前記状態調整機構により調整された後の前記限界変形量を前記内容に応じて変えることを特徴とする乗物用シートユニット。
【請求項２】
前記取得部はカメラと圧力センサとの組み合わせであることを特徴とする請求項１に記載の乗物用シートユニット。
【請求項３】
前記取得部はカメラと近接センサとの組み合わせであることを特徴とする請求項１に記載の乗物用シートユニット。
【請求項４】
前記衝撃エネルギー吸収部とは別に、前記部分として前記乗員の背によって押されることで前記乗員の背と共に後方に移動する後方移動部を有することを特徴とする請求項１乃至３のいずれか一項に記載の乗物用シートユニット。
【請求項５】
前記後方移動部は、前記乗物に対して後方荷重が入力された際に前記乗員の背によって押されて前記乗員の背と共に後方に移動する可動部材からなることを特徴とする請求項４に記載の乗物用シートユニット。
【請求項６】
前記可動部材は、前記乗物に対して後方荷重が入力された際に前記乗員の背によって押されて撓むことで前記乗員の背と共に後方に移動し、
前記制御装置は、前記可動部材の状態として、単位荷重に対する前記可動部材の撓み量を調整するために設けられる第二の状態調整機構により調整された後の前記撓み量を前記内容に応じて変えることを特徴とする請求項５に記載の乗物用シートユニット。
【請求項７】
前記乗員の臀部を支えるシートクッションと、
前記乗員の頭部を支えるヘッドレストと、を備え、
前記シートバックは、内部にシートバックフレームを有し、
該シートバックフレームは、幅方向に備えられた一対のサイドフレームと、前記一対のサイドフレームの上端部同士を連結するアッパフレームと、前記一対のサイドフレームの下端部同士を連結するロアメンバフレームと、前記一対のサイドフレームの間に配置された受圧プレートと、を有することを特徴とする請求項１乃至６のいずれか一項に記載の乗物用シートユニット。
【手続補正２】
【補正対象書類名】明細書
【補正対象項目名】０００７
【補正方法】変更
【補正の内容】
【０００７】
前記課題は、本発明の乗物用シートユニットによれば、乗物の乗員が着座し、該乗員を後方から支持する支持部を備えた乗物用シートと、前記支持部のうち、前記乗物に対して後方荷重が入力された際に前記乗員の頸部に掛かる負担に影響を及ぼす部分の状態を調整するために設けられた状態調整機構と、２以上の異なる手段により、前記乗員の情報を取得する取得部と、該取得部が取得した前記乗員の情報の内容に応じて前記状態調整機構を制御することで、前記状態調整機構により調整された後の前記部分の状態を前記内容に応じて変える制御装置と、前記部分として、前記乗員の背を支えるシートバックに設けられ、前記乗物に対して荷重が入力された際に変形することで衝撃エネルギーを吸収する衝撃エネルギー吸収部と、を有し、前記状態調整機構は前記衝撃エネルギー吸収部が変形した際の限界変形量を調整するために設けられ、前記制御装置は、前記状態調整機構により調整された後の前記限界変形量を前記内容に応じて変えることにより解決される。
【手続補正３】
【補正対象書類名】明細書
【補正対象項目名】０００８
【補正方法】変更
【補正の内容】
【０００８】
以上のように構成された本発明の乗物用シートユニットでは、乗物用シート中、乗物に対して後方荷重が入力された際に乗員の頸部に掛かる負担に影響を及ぼす部分の状態が、状態調整機構によって調整される。この際、乗員の情報（乗員情報）に応じて上記の状態が調整される。このように乗員の体格や性別等に考慮してシート中の所定部位の状態を調整することで、乗物に対して後方荷重が入力された際に乗員の頸部に掛かる負担を適切に軽減することが可能となる。
また、上記の構成では、乗員の頸部に掛かる負担に影響を及ぼす部分として、衝撃エネルギー吸収部の状態を乗員の体格や性別等に考慮して適切に調整することが可能となる。
また、上記の構成では、衝撃エネルギー吸収部が変形した際の限界変形量を乗員の体格や性別等に応じて変更する。これにより、乗物に後方荷重が入力された際に乗員の頸部に掛かる負担を、衝撃エネルギー吸収部の変形によって軽減する際に、乗員の体格や性別等に応じて適切に軽減することが可能となる。
【手続補正４】
【補正対象書類名】明細書
【補正対象項目名】０００９
【補正方法】変更
【補正の内容】
【０００９】
また、上記の乗物用シートユニットにおいて、前記取得部はカメラと圧力センサとの組み合わせであるとよい。
上記の構成では、カメラの撮像映像に基づいて乗員情報（具体的には乗員の性別又は体格）を適切に取得することが可能となる。また、圧力センサが検知した圧力に基づいて乗員情報（具体的には乗員の体圧）を適切に取得することが可能となる。
【手続補正５】
【補正対象書類名】明細書
【補正対象項目名】００１０
【補正方法】変更
【補正の内容】
【００１０】
また、上記の乗物用シートユニットにおいて、前記取得部はカメラと近接センサとの組み合わせであるとよい。
上記の構成では、カメラの撮像映像に基づいて乗員情報（具体的には乗員の性別又は体格）を適切に取得することが可能となる。また、近接センサが検知した骨格形状に基づいて乗員情報（具体的には乗員の身体中の所定部位の形状に関する情報）を適切に取得することが可能となる。
【手続補正６】
【補正対象書類名】明細書
【補正対象項目名】００１１
【補正方法】変更
【補正の内容】
【００１１】
また、上記の乗物用シートユニットにおいて、前記衝撃エネルギー吸収部とは別に、前記部分として前記乗員の背によって押されることで前記乗員の背と共に後方に移動する後方移動部を有するとよい。
上記の構成では、乗員の頸部に掛かる負担に影響を及ぼす部分として、後方移動部の状態を乗員の体格や性別等に考慮して適切に調整することが可能となる。
【手続補正７】
【補正対象書類名】明細書
【補正対象項目名】００１２
【補正方法】変更
【補正の内容】
【００１２】
また、上記の乗物用シートユニットにおいて、前記後方移動部は、前記乗物に対して後方荷重が入力された際に前記乗員の背によって押されて前記乗員の背と共に後方に移動する可動部材からなるとよい。
上記の構成では、乗物に対して後方荷重が入力された際に可動部材が乗員の背によって押されて乗員の背と共に後方に移動する。その一方で、移動後の可動部材の位置については、乗員の体格や性別等に応じて変更される。これにより、乗員の頸部に掛かる負担が乗員の体格や性別等に応じて適切に軽減されるように移動後の可動部材の位置を適切に設定することが可能となる。
【手続補正８】
【補正対象書類名】明細書
【補正対象項目名】００１３
【補正方法】変更
【補正の内容】
【００１３】
また、上記の乗物用シートユニットにおいて、前記可動部材は、前記乗物に対して後方荷重が入力された際に前記乗員の背によって押されて撓むことで前記乗員の背と共に後方に移動し、前記制御装置は、前記可動部材の状態として、単位荷重に対する前記可動部材の撓み量を調整するために設けられる第二の状態調整機構により調整された後の前記撓み量を前記内容に応じて変えるとよい。
上記の構成では、単位荷重に対する可動部材の撓み量を乗員の体格や性別等に応じて変更する。これにより、乗物に後方荷重が入力された際に乗員の頸部に掛かる負担を、可動部材の撓み（後方移動）によって軽減する際に、乗員の体格や性別等に応じて適切に軽減することが可能となる。
【手続補正９】
【補正対象書類名】明細書
【補正対象項目名】００１４
【補正方法】変更
【補正の内容】
【００１４】
また、上記の乗物用シートユニットにおいて、前記乗員の臀部を支えるシートクッションと、前記乗員の頭部を支えるヘッドレストと、を備え、前記シートバックは、内部にシートバックフレームを有し、該シートバックフレームは、幅方向に備えられた一対のサイドフレームと、前記一対のサイドフレームの上端部同士を連結するアッパフレームと、前記一対のサイドフレームの下端部同士を連結するロアメンバフレームと、前記一対のサイドフレームの間に配置された受圧プレートと、を有するとよい。
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】削除
【補正の内容】